(57)【要約】【課題】通信相手の通信端末がどのような機能を備えていることを確認することができ、その利用可能な機能をユーザが選択できるユーザビリティに優れた機能情報通知システム及び機能情報通知方法を提供すること。【解決手段】ユーザ端末Ａがユーザ端末Ｂに対して端末機能情報の問い合わせを行う。ユーザ端末Ｂは、ユーザ端末Ａからの要求信号を通信制御部１０２を介して受信すると、自端末の端末機能情報をユーザ端末Ａに送信して良いかどうかを確認した後に、端末機能情報をユーザ端末Ａに送信する。ユーザ端末Ａは、ユーザ端末Ｂからの端末機能情報を受信すると、ユーザ端末Ｂの端末機能情報をディスプレイ１０９に表示させる。【選択図】図５
2007150651.tif 000002
【特許請求の範囲】
【請求項１】
移動体端末間で端末機能情報の送受信を行う機能情報通知システムであって、第１移動体端末は、第２移動体端末の端末機能情報を受信する通信手段と、前記端末機能情報を表示する表示手段と、を具備することを特徴とする機能情報通知システム。
【請求項２】
前記通信手段は、前記第２移動体端末に対して前記端末機能情報の要求信号を送信することを特徴とする請求項１記載の機能情報通知システム。
【請求項３】
前記第１及び／又は第２移動体端末は、通話完了後に自動的に端末機能情報を送信するモードに設定可能なモード設定部を具備することを特徴とする請求項１又は請求項２記載の機能情報通知システム。
【請求項４】
移動通信網センターを介して移動体端末間で端末機能情報の送受信を行う機能情報通知システムであって、前記移動通信網センターは、移動体端末の端末機能情報を有するデータベースと、前記データベースに端末機能情報を更新する更新手段と、を具備し、第１移動体端末は、前記移動通信網センターとの間で通信を行う通信手段を具備することを特徴とする機能情報通知システム。
【請求項５】
前記通信手段は、前記移動通信網センターとの通信において前記移動通信網センターの前記データベースを参照することを特徴とする請求項４記載の機能情報通知システム。
【請求項６】
前記通信手段は、前記移動通信網センターとの間でデータベース同期処理を行うことを特徴とする請求項４記載の機能情報通知システム。
【請求項７】
前記第１移動体端末は、前記端末機能情報を表示する表示手段を具備することを特徴とする請求項４から請求項６のいずれかに記載の機能情報通知システム。
【請求項８】
前記表示手段は、前記第１移動体端末で使用可能な端末機能と前記第１移動体端末で使用不可能な端末機能とを区別して表示させることを特徴とする請求項１から請求項３及び請求項７のいずれかに記載の機能情報通知システム。
【請求項９】
移動体端末間で端末機能情報の送受信を行う機能情報通知方法であって、第２移動体端末が前記第１移動体端末に対して端末機能情報を送信する端末機能情報送信工程と、前記第１移動体端末において前記端末機能情報を表示する表示工程と、を具備することを特徴とする機能情報通知方法。
【請求項１０】
前記第１移動体端末が前記第２移動体端末に前記端末機能情報の要求信号を送信する要求信号送信工程と、前記第２移動体端末において、前記要求信号を受信した後に前記端末機能情報の送信を確認する第１確認工程と、を具備することを特徴とする請求項９記載の機能情報通知方法。
【請求項１１】
前記端末機能情報送信工程において、前記第１移動体端末との間の通話完了後に前記端末機能情報の送信を確認する第２確認工程を具備することを特徴とする請求項９記載の機能情報通知方法。
【請求項１２】
前記端末機能情報送信工程において、前記第１移動体端末との間の通話完了後に自動的に前記第１移動体端末に端末能情報を送信することを特徴とする請求項９記載の機能情報通知方法。
【請求項１３】
移動通信網センターを介して移動体端末間で端末機能情報の送受信を行う機能情報通知方法であって、第２移動体端末が第１移動体端末との間の通話完了後に自動的に前記移動通信網センターに第２移動体端末の端末能情報を送信する端末機能情報送信工程と、前記第１移動体端末が前記移動通信網センターとの間で通信を行う通信工程と、を具備することを特徴とする機能情報通知方法。
【請求項１４】
前記通信工程において、前記移動通信網センターにおける、移動体端末の端末機能情報を有するデータベースを参照することを特徴とする請求項１３記載の機能情報通知方法。
【請求項１５】
前記通信工程において、前記移動通信網センターとの間でデータベース同期処理を行うことを特徴とする請求項１３記載の機能情報通知方法。
【請求項１６】
前記第１移動体端末において、前記端末機能情報を表示する表示工程を具備することを特徴とする請求項１３から請求項１５のいずれかに記載の機能情報通知方法。
【請求項１７】
前記表示工程においては、前記第１移動体端末で使用可能な端末機能と前記第１移動体端末で使用不可能な端末機能とを区別して表示させることを特徴とする請求項９から請求項１２及び請求項１６のいずれかに記載の機能情報通知方法。
【発明の詳細な説明】
【技術分野】
【０００１】
本発明は、機能情報通知システム及び機能情報通知方法に関する。
【背景技術】
【０００２】
近年、通信端末は高機能化しており、一つの通信端末に複数の機能が搭載されている。そして、他の通信端末と通信を行う際に、これら複数の機能の中から使用する機能を選択する。かかる選択においては、相手の通信端末がどのような機能を有しているのか、あるいはどのような機能が利用可能となっているのかなどについては、通信開始に先立って知らされていないことが一般的である。
【０００３】
通信相手がどのような機能（例えば、テレビ電話など）を備えている通信端末であるのか、あるいは通信端末においてどのような機能が現在利用可能な状態になっているのかなどについて、リアルタイムに把握することを可能とする技術として、特開２００１−２９０７８９号公報に開示されている技術がある。この公報には、異なる通信端末間において通信可能な機能を探索し、通信時に相手の通信端末に応じた環境で通信を行うことが開示されている。
【特許文献１】特開２００１−２９０７８９号公報
【発明の開示】
【発明が解決しようとする課題】
【０００４】
近年、通信端末に新しい機能が追加されることが多くなってきており、通信相手の通信端末がどのような機能を備えていることを確認することができ、その利用可能な機能をユーザが選択できるようにすることが望まれている。しかしながら、上記公報における技術においては、通信相手の通信端末の機能を自動的に設定するので、通信相手の通信端末がどのような機能を備えていることを確認することができ、その利用可能な機能をユーザが選択できるというようなユーザビリティについては解決されていない。
【０００５】
本発明はかかる点に鑑みてなされたものであり、通信相手の通信端末がどのような機能を備えていることを確認することができ、その利用可能な機能をユーザが選択できるユーザビリティに優れた機能情報通知システム及び機能情報通知方法を提供することを目的とする。
【課題を解決するための手段】
【０００６】
本発明の機能情報通知システムは、移動体端末間で端末機能情報の送受信を行う機能情報通知システムであって、第１移動体端末は、第２移動体端末の端末機能情報を受信する通信手段と、前記端末機能情報を表示する表示手段と、を具備することを特徴とする。
【０００７】
この構成によれば、端末機能情報を移動体端末間で送受信して、必要に応じて表示手段で表示することにより、通信相手の移動体端末の利用可能機能やサービスを把握することができ、通信相手の移動体端末で利用可能な機能に合わせたサービスを利用することが可能となる。すなわち、事前に、通信相手の利用可能なサービスを知ることができるので、発信者側がどの機能を用いて通信を行うかを容易に判断することができる。
【０００８】
本発明の機能情報通知システムにおいては、前記通信手段は、前記第２移動体端末に対して前記端末機能情報の要求信号を送信することが好ましい。
【０００９】
本発明の機能情報通知システムにおいては、前記第１及び／又は第２移動体端末は、通話完了後に自動的に端末機能情報を送信するモードに設定可能なモード設定部を具備することが好ましい。この構成によれば、ユーザが確認画面の操作などの入力操作が不要となり、ユーザにとって便利となる。
【００１０】
本発明の機能情報通知システムは、移動通信網センターを介して移動体端末間で端末機能情報の送受信を行う機能情報通知システムであって、前記移動通信網センターは、移動体端末の端末機能情報を有するデータベースと、前記データベースに端末機能情報を更新する更新手段と、を具備し、第１移動体端末は、前記移動通信網センターとの間で通信を行う通信手段を具備することを特徴とする。
【００１１】
この構成によれば、端末機能情報を移動体端末間で送受信することにより、通信相手の移動体端末の利用可能機能やサービスの情報を取得することができ、通信相手の移動体端末で利用可能な機能に合わせたサービスを利用することが可能となる。すなわち、事前に、通信相手の利用可能なサービスを知ることができるので、発信者側がどの機能を用いて通信を行うかを容易に判断することができる。また、端末機能情報を移動通信網センターに格納しておくので、必要なときに移動通信網センターと通信を行っていつでも端末機能情報を取得することができる。
【００１２】
本発明の機能情報通知システムにおいては、前記通信手段は、前記移動通信網センターとの通信において前記移動通信網センターの前記データベースを参照することが好ましい。
【００１３】
本発明の機能情報通知システムにおいては、前記通信手段は、前記移動通信網センターとの間でデータベース同期処理を行うことが好ましい。この構成によれば、端末機能情報を一括して取得して更新することができる。
【００１４】
本発明の機能情報通知システムにおいては、前記第１移動体端末は、前記端末機能情報を表示する表示手段を具備することが好ましい。この構成によれば、通信相手の移動体端末の利用可能機能やサービスの情報を視覚的に把握することができる。
【００１５】
本発明の機能情報通知システムにおいては、前記表示手段は、前記第１移動体端末で使用可能な端末機能と前記第１移動体端末で使用不可能な端末機能とを区別して表示させることが好ましい。この構成によれば、ユーザが、通信相手の移動体端末で使用可能な端末機能やサービスを一目で確認することができる。
【００１６】
本発明の機能情報通知方法は、移動体端末間で端末機能情報の送受信を行う機能情報通知方法であって、第２移動体端末が前記第１移動体端末に対して端末機能情報を送信する端末機能情報送信工程と、前記第１移動体端末において前記端末機能情報を表示する表示工程と、を具備することを特徴とする。
【００１７】
この方法によれば、端末機能情報を移動体端末間で送受信して、必要に応じて表示手段で表示することにより、通信相手の移動体端末の利用可能機能やサービスを把握することができ、通信相手の移動体端末で利用可能な機能に合わせたサービスを利用することが可能となる。すなわち、事前に、通信相手の利用可能なサービスを知ることができるので、発信者側がどの機能を用いて通信を行うかを容易に判断することができる。
【００１８】
本発明の機能情報通知方法においては、前記第１移動体端末が前記第２移動体端末に前記端末機能情報の要求信号を送信する要求信号送信工程と、前記第２移動体端末において、前記要求信号を受信した後に前記端末機能情報の送信を確認する第１確認工程と、を具備することが好ましい。
【００１９】
本発明の機能情報通知方法においては、前記端末機能情報送信工程において、前記第１移動体端末との間の通話完了後に前記端末機能情報の送信を確認する第２確認工程を具備することが好ましい。
【００２０】
本発明の機能情報通知方法においては、前記端末機能情報送信工程において、前記第１移動体端末との間の通話完了後に自動的に前記第１移動体端末に端末能情報を送信することが好ましい。この方法によれば、ユーザが確認画面の操作などの入力操作が不要となり、ユーザにとって便利となる。
【００２１】
本発明の機能情報通知方法は、移動通信網センターを介して移動体端末間で端末機能情報の送受信を行う機能情報通知方法であって、第２移動体端末が第１移動体端末との間の通話完了後に自動的に前記移動通信網センターに第２移動体端末の端末能情報を送信する端末機能情報送信工程と、前記第１移動体端末が前記移動通信網センターとの間で通信を行う通信工程と、を具備することを特徴とする。
【００２２】
この方法によれば、端末機能情報を移動体端末間で送受信することにより、通信相手の移動体端末の利用可能機能やサービスの情報を取得することができ、通信相手の移動体端末で利用可能な機能に合わせたサービスを利用することが可能となる。すなわち、事前に、通信相手の利用可能なサービスを知ることができるので、発信者側がどの機能を用いて通信を行うかを容易に判断することができる。また、端末機能情報を移動通信網センターに格納しておくので、必要なときに移動通信網センターと通信を行っていつでも端末機能情報を取得することができる。
【００２３】
本発明の機能情報通知方法においては、前記通信工程において、前記移動通信網センターにおける、移動体端末の端末機能情報を有するデータベースを参照することが好ましい。
【００２４】
本発明の機能情報通知方法においては、前記通信工程において、前記移動通信網センターとの間でデータベース同期処理を行うことが好ましい。この方法によれば、端末機能情報を一括して取得して更新することができる。
【００２５】
本発明の機能情報通知方法においては、前記第１移動体端末において、前記端末機能情報を表示する表示工程を具備することが好ましい。この方法によれば、通信相手の移動体端末の利用可能機能やサービスの情報を視覚的に把握することができる。
【００２６】
本発明の機能情報通知方法においては、前記表示工程においては、前記第１移動体端末で使用可能な端末機能と前記第１移動体端末で使用不可能な端末機能とを区別して表示させることが好ましい。この方法によれば、ユーザが、通信相手の移動体端末で使用可能な端末機能やサービスを一目で確認することができる。
【発明を実施するための最良の形態】
【００２７】
以下、本発明の実施の形態について、添付図面を参照して詳細に説明する。
図１は、本発明の実施の形態に係る機能情報通知システムの概略構成を示す図である。図１に示すシステムは、移動体端末１であるユーザ端末Ａ，Ｂと、このユーザ端末Ａ，Ｂと移動通信網であるコアネットワーク２を介して接続された移動通信網センター３ととから主に構成されている。このような構成を有するシステムにおいては、ユーザ端末Ａ，Ｂ同士で、あるいは必要に応じて移動通信網センター３を介して、端末機能情報の送受信を行う。この場合において、送受信された端末機能情報は、必要に応じて移動体端末Ａ，Ｂの表示画面に表示される。
【００２８】
ここで、端末機能情報とは、ユーザ端末Ａ，Ｂで使用できる機能、例えばテレビ電話機能、ＩＰ電話機能、パケット通話機能、ＨＴＭＬメール機能、動画像再生機能、音楽再生機能、ＩＣカード機能などの情報をいう。なお、ユーザ端末Ａ，Ｂで使用できる機能は、同じであっても良く、異なっていても良い。また、端末機能情報には、前記のような利用可能サービスの情報以外に、移動体端末Ａ，Ｂにおいて利用できる種々のネイティブ機能を含めても良い。
【００２９】
図２は、本発明の実施の形態に係る機能情報通知システムに使用する移動体端末１を示す概略ブロック図である。移動体端末１は、アンテナ１０１と、アンテナ１０１を介して受信した信号に無線処理を施す通信制御部１０２と、端末全体を制御する制御部１０３と、無線処理された信号から抽出された端末機能情報をメモリ１０５に更新する更新部１０４と、通話後に自分のユーザ端末の端末機能情報を通信相手のユーザ端末に自動的に送信する設定にするためのモード設定部１０５と、アプリケーションを動作させるアプリ制御部１０７と、ディスプレイ１０９上の表示を制御する表示制御部１０８とから主に構成されている。
【００３０】
通信制御部１０２は、アンテナ１０１を介して受信した無線周波数の信号に対して所定の無線処理を施して中間周波数信号又はベースバンド信号にダウンコンバートすると共に、中間周波数又はベースバンド信号をアップコンバートしてアンテナ１０１を介して送信する。ダウンコンバートされた信号（受信信号）は、制御部１０３に出力される。送受信信号には、端末機能情報が含まれ、送信信号には、他の移動体端末の端末機能情報を要求する要求信号を含む。
【００３１】
更新部１０４は、受信信号に含まれる端末機能情報をメモリ１０５に更新する。メモリ１０５は、アドレス帳を有しており、そのアドレス帳には、通信相手毎に電話番号、メールアドレス、その他のユーザ情報が登録されている。このアドレス帳には、通信相手のユーザ端末の端末機能情報も登録されている（例えば、図６（ａ））。したがって、更新部１０４は、通信相手から送信されてきた端末機能情報、あるいは移動通信網センターとの間で参照又は同期により得られた端末機能情報をメモリ１０５のアドレス帳に更新する。
【００３２】
このアドレス帳への更新は、通信相手から送信されてきた際に毎回行っても良く、通信相手から送信された端末機能情報と、アドレス帳に登録されている端末機能情報とを比較し、両端末機能情報が異なっている場合に更新が必要であると判断して行っても良い。また、更新タイミングは、通信相手から送信されてきたタイミングで行っても良く、定期的に移動通信網センターとの間で参照又は同期を行って更新しても良い。さらに、ユーザ端末で端末機能情報を更新する際に、ディスプレイ１０９上に更新確認表示を行って、ユーザに確認した後にデータ更新を行うようにしても良い。
【００３３】
上記説明においては、メモリ１０５にアドレス帳が格納されており、更新部１０４がアドレス帳を更新する場合について説明しているが、本発明においては、メモリ１０５に、アドレス帳とは別に、通信相手毎に端末機能情報を管理するデータファイルなど有するデータベースが格納されており、更新部１０４がデータベースを更新するような構成であっても良い。このような構成においては、移動通信網センターとの間で端末機能情報をデータベース同期する場合に有利である。なお、メモリ１０５は、種々の情報やデータ、アプリケーションを格納する。メモリ１０５は、例えばＲＯＭ、ＲＡＭ、ハードディスクなどで構成される。
【００３４】
制御部１０３は、通信制御部１０２で無線処理された受信信号に対して種々の処理を行う。例えば、制御部１０３は、所定の情報をメモリ１０５に格納したり、端末機能情報を通信相手のユーザ端末に送信する確認や端末機能情報の更新の確認をディスプレイ１０９に表示させる指示を行ったり、端末機能情報をディスプレイ１０９に表示させる指示を行ったり、移動通信網センターのデータベースに対する端末機能情報の参照や同期の指示を行う。
【００３５】
モード設定部１０６は、通話後に自分のユーザ端末の端末機能情報を通信相手のユーザ端末に自動的に送信する設定にする。ユーザが自動送信モードの入力を行うと、すなわち自動送信モードをＯＮにすると、モード設定部１０６は、ユーザの入力にしたがって、通話後に自分のユーザ端末の端末機能情報を通信相手のユーザ端末に自動的に送信する指示を行う。これにより、メモリ１０５に格納されている自分のユーザ端末の端末機能情報が抽出されて通信制御部１０２からコアネットワーク２を介して通話が完了した通信相手のユーザ端末に送信される。このような、自動送信モードにおいては、ユーザが確認画面の操作などの入力操作が不要となり、ユーザにとって便利となる。一方、自動送信モードをＯＦＦにすると、通話後に自分のユーザ端末の端末機能情報を通信相手のユーザ端末に送信する前に確認画面がディスプレイ１０９上に表示され、その画面上で確認した後に自分のユーザ端末の端末機能情報を通信相手のユーザ端末に送信することになる。
【００３６】
アプリ制御部１０７は、制御部１０３の指示に応じてアプリケーション言語（例えばＪａｖａ（登録商標）言語）で作成されたアプリケーションプログラムを実行する。アプリ制御部１０７は、移動通信網センター３との間でデータベース同期処理を行う際にアプリケーションを起動する。すなわち、データベース同期のアプリケーションプログラムを実行する。
【００３７】
表示制御部１０８は、制御部１０３の指示に応じてディスプレイ１０９上に種々の画像や文字を表示する。例えば、表示制御部１０８は、端末機能情報をリスト表示する旨の指示を制御部１０３から受けると、メモリ１０５に格納されている端末機能情報をディスプレイ１０９上に所定のフォーマットで表示させる。なお、フォーマットについては特に制限はない。また、表示制御部１０８は、移動体端末で使用可能な端末機能と使用不可能な端末機能とを区別して表示させる。例えば、自分の移動体端末で使用可能な端末機能をリスト表示し、その中で通信相手の移動体端末で使用不可能な端末機能をグレイアウトして表示する。このようにすることにより、ユーザは、通信相手の移動体端末で使用可能な端末機能やサービスを一目で確認することができる。
【００３８】
図３は、本発明の実施の形態に係る機能情報通知システムにおける移動通信網センター３を示す概略ブロック図である。移動通信網センター３は、無線通信及び有線通信を行う通信部３０１と、センター全体を制御する制御部３０２と、ユーザ毎の端末機能情報をデータベース３０４に更新する更新部３０３と、データベース３０４から特定のユーザ端末の端末機能情報を抽出する抽出部３０５と、アプリケーションを動作させるアプリ制御部３０６とから主に構成されている。移動通信網センター３は、インターネットのようなネットワークを介して他の端末装置、例えばパーソナルコンピュータ（ＰＣ）などと接続されており、移動通信網とインターネットなどのネットワークとを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００３９】
通信部３０１は、移動体端末１に対して端末機能情報を含む信号の送受信を行う。また、通信部３０１は、データベース同期の際に移動体端末１との間で通信を行う。移動体端末１からの信号に含まれる端末機能情報は、制御部３０２により更新部３０３に出力される。また、データベース３０４から抽出された端末機能情報は、制御部３０２により通信部３０１から移動体端末１に送信される。また、通信部３０１は、移動通信網センターにおける、ユーザ端末の端末機能情報を有するデータベースを参照したり、移動通信網センターとの間でデータベース同期処理を行う。
【００４０】
更新部３０３は、移動体端末１からの端末機能情報をデータベース３０４に更新する。データベース３０４は、図４に示すデータファイルを有する。図４に示すデータファイルは、ユーザ毎に通信相手の端末機能情報が管理されている。例えば、データファイルにおいては、あるユーザについて、通信相手（090-XXX-XXXX）がテレビ電話もデコメールも使用可能であり、通信相手（090-YYY-YYYY）がテレビ電話もデコメールも使用不可能であると管理されている。なお、図４に示すデータファイルの項目についてはこれに限定されず、少なくとも端末機能情報がユーザ毎に管理されていれば良い。また、通信相手を識別するものとしては携帯電話番号以外にユーザＩＤなどの個別の識別情報であっても良い。
【００４１】
抽出部３０５は、移動体端末１から端末機能情報の参照又はデータベース同期の際にデータベース３０４から参照又は同期が行われる移動体端末１のユーザに対する端末機能情報のデータファイルから端末機能情報を抽出する。抽出された端末機能情報は、通信部３０１から移動体端末１に送信されるか又はデータベース同期処理に供される。
【００４２】
アプリ制御部３０６は、制御部３０２の指示に応じてアプリケーション言語（例えばＪａｖａ（登録商標）言語）で作成されたアプリケーションプログラムを実行する。アプリ制御部３０６は、移動体端末１との間でデータベース同期処理を行う際にアプリケーションを起動する。すなわち、データベース同期のアプリケーションプログラムを実行する。
【００４３】
上記構成を有する機能情報通知システムにおいては、通信相手の移動体端末の端末機能情報を通信相手の移動体端末と直接又は移動通信網センターを介して送受信する。この端末機能情報は、移動体端末のディスプレイで表示され、ユーザが確認する。その後、端末機能情報は、破棄されるか移動体端末のユーザ情報に更新されることにより蓄積される。あるいは、端末機能情報は、移動通信網センターのデータベースにユーザ毎に管理され、必要に応じて移動体端末が参照したり、データベース同期する。
【００４４】
このように端末機能情報を移動体端末間で送受信して、必要に応じてディスプレイに表示することにより、通信相手の移動体端末の利用可能機能やサービスを視覚的に把握することができ、通信相手の移動体端末で利用可能な機能に合わせたサービスを利用することが可能となる。すなわち、事前に、通信相手の利用可能なサービスを知ることができるので、発信者側がどの機能を用いて通信を行うかを容易に判断することができる。これにより、例えば、テレビ電話をかけたいが相手が対応しているか分からない、あるいは、デコメールの返事が欲しいが相手が対応しているか分からない、などのような問題は生じない。新しい移動体端末には、新しい機能が搭載されている場合が多く、そのような新しい機能は、通常新しい移動体端末同士でしか利用できないことが多い。新しい移動体端末と旧い移動体端末との間で通信を行う際には、移動体端末間で機能の差があるので、本システムを有効に利用することができる。
【００４５】
次に、本発明の機能情報通知方法について図５から図１７を用いて説明する。本実施の形態に係る機能情報通知方法においては、端末機能情報の通知のタイミングで、例えば以下の５つの態様が挙げられる。すなわち、
・第１の態様：通信相手の端末機能情報を保持しない随時型（移動体端末間通知方式）
・第２の態様：通信相手の端末機能情報を確認後に移動体端末に保持する蓄積型（移動体端末蓄積方式）
・第３の態様：通信相手の端末機能情報を自動的に移動体端末に保持する蓄積型（移動体端末蓄積方式）
・第４の態様：通信相手の端末機能情報を自動的又は選択的に移動通信網センターに保持する蓄積型（サーバ蓄積方式）
・第５の態様：端末機能情報について移動体端末と移動通信網センターとで同期処理する同期型（サーバ蓄積＋移動体端末蓄積方式）
なお、これらの態様はこれに限定されるものではない。
【００４６】
図５は、本発明の実施の形態に係る機能情報通知方法の第１の態様を示すシーケンス図である。第１の態様においては、一方の移動体端末が通信相手である他方の移動体端末に端末機能情報を問い合わせて、他方の移動体端末が端末機能情報を一方の移動体端末に送信し、一方の移動体端末のディスプレイ上に他方の移動体端末の端末機能が表示される。このとき、他方の移動体端末においては、端末機能情報を一方の移動体端末に送信することを確認する。
【００４７】
まず、ユーザ端末Ａがユーザ端末Ｂに対して端末機能情報の問い合わせを行う（ＳＴ１１）。例えば、ユーザ端末Ａのユーザ（どこでも太郎）がユーザ端末Ｂのユーザ（いつでも花子）にあるサービスで通信を行いたい場合に、ユーザ端末Ｂがそのサービスを利用できるかどうか確認するときが挙げられる。具体的には、ユーザ端末Ａにおいて、アドレス帳でユーザ端末Ｂのアドレスを探すと、表示制御部１０８によりディスプレイ１０９上に図６（ａ）に示すような画面が表示される。そして、端末情報の部分を選択すると、表示制御部１０８によりディスプレイ１０９上に図６（ｂ）に示すような確認画面が表示される。そして、「はい」を選択すると、制御部１０３の指示により端末機能情報を要求する要求信号を通信制御部１０２を介してユーザ端末Ｂに送信する。
【００４８】
ユーザ端末Ｂは、ユーザ端末Ａからの要求信号を通信制御部１０２を介して受信すると、制御部１０３が、自端末（ユーザ端末Ｂ）の端末機能情報をユーザ端末Ａに送信して良いかどうかを確認する確認画面をディスプレイ１０９に表示させるように表示制御部１０８に指示する。表示制御部１０８は、その指示にしたがってディスプレイ１０９上に図７（ａ）に示すような確認画面を表示させる（ＳＴ１２）。そして、「はい」を選択すると、制御部１０３の指示によりメモリ１０５から端末機能情報を抽出して通信制御部１０２を介してユーザ端末Ａに送信する（ＳＴ１３）。端末機能情報を送信している間、ユーザ端末Ｂのディスプレイ１０９上には、図７（ｂ）に示す画面が表示される。
【００４９】
次いで、ユーザ端末Ａは、ユーザ端末Ｂからの端末機能情報を通信制御部１０２を介して受信すると（ＳＴ１４）、制御部１０３が、ユーザ端末Ｂの端末機能情報をディスプレイ１０９に表示させるように表示制御部１０８に指示する。表示制御部１０８は、その指示にしたがってディスプレイ１０９上に図８に示すような端末機能リストを表示させる（ＳＴ１５）。これにより、ユーザ端末Ａのユーザ（どこでも太郎）は、ユーザ端末Ｂがテレビ電話とデコメールが使用可能で、ＰｏＣが使用不可能である（グレイアウト）ことを一目で確認することができる。
【００５０】
図９は、本発明の実施の形態に係る機能情報通知方法の第２の態様を示すシーケンス図である。第２の態様においては、一方の移動体端末と他方の移動体端末との間の通話が完了した後に、他方の移動体端末が端末機能情報を一方の移動体端末に送信し、一方の移動体端末のディスプレイ上に他方の移動体端末の端末機能情報が格納されると共に他方の移動体端末の端末機能が表示される。このとき、他方の移動体端末においては、端末機能情報を一方の移動体端末に送信することを確認する。
【００５１】
まず、ユーザ端末Ａとユーザ端末Ｂとの間で通話が行われ（ＳＴ２１）、通話が完了すると（ＳＴ２２，２３）、制御部１０３が、自端末（ユーザ端末Ｂ）の端末機能情報をユーザ端末Ａに送信して良いかどうかを確認する確認画面をディスプレイ１０９に表示させるように表示制御部１０８に指示する。表示制御部１０８は、その指示にしたがってディスプレイ１０９上に図１０に示すような確認画面を表示させる(ＳＴ２４）。そして、「はい」を選択すると、制御部１０３の指示によりメモリ１０５から端末機能情報を抽出して通信制御部１０２を介してユーザ端末Ａに送信する（ＳＴ２５）。端末機能情報を送信している間、ユーザ端末Ｂのディスプレイ１０９上には、図７（ｂ）に示す画面が表示される。
【００５２】
次いで、ユーザ端末Ａは、ユーザ端末Ｂからの端末機能情報を通信制御部１０２を介して受信すると（ＳＴ２６）、制御部１０３が、ユーザ端末Ｂの端末機能情報をメモリ１０５に更新することを確認する画面をディスプレイ１０９に表示させるように表示制御部１０８に指示する。表示制御部１０８は、その指示にしたがってディスプレイ１０９上に図１１（ａ）に示すような確認画面を表示させる。そして、「はい」を選択すると、制御部１０３の指示により更新部１０４が受信したユーザ端末Ｂの端末機能情報をメモリ１０５に更新する（ＳＴ２７）。このとき、ディスプレイ１０９上には、図１１（ｂ）に示す画面が表示される。さらに、制御部１０３が、ユーザ端末Ｂの端末機能情報をディスプレイ１０９に表示させるように表示制御部１０８に指示する。表示制御部１０８は、その指示にしたがってディスプレイ１０９上に図８に示すような端末機能リストを表示させる（ＳＴ２８）。これにより、ユーザ端末Ａのユーザ（どこでも太郎）は、ユーザ端末Ｂがテレビ電話とデコメールが使用可能で、ＰｏＣが使用不可能である（グレイアウト）ことを一目で確認することができる。
【００５３】
図１２は、本発明の実施の形態に係る機能情報通知方法の第３の態様を示すシーケンス図である。第３の態様においては、一方の移動体端末と他方の移動体端末との間の通話が完了した後に、他方の移動体端末が端末機能情報を一方の移動体端末に送信し、一方の移動体端末のディスプレイ上に他方の移動体端末の端末機能情報が格納されると共に他方の移動体端末の端末機能が表示される。このとき、他方の移動体端末においては、通話完了後に端末機能情報を一方の移動体端末に自動的に送信する。この場合、あらかじめ他方の移動体端末（ユーザ端末Ｂ）において、通話完了後に自装置の端末機能情報を通信相手（通話を行っていた相手）に自動的に送信するモードに設定しておく。具体的には、ユーザがモード設定をＯＮにすると、制御部１０３がモード設定部１０６に端末機能情報の自動送信モードに設定するように指示し、モード設定部１０６はその指示にしたがって自動送信モードに切り替える。
【００５４】
まず、ユーザ端末Ａとユーザ端末Ｂとの間で通話が行われ（ＳＴ３１）、通話が完了すると（ＳＴ３２，３３）、制御部１０３は、自動的に制御部１０３の指示によりメモリ１０５から端末機能情報を抽出して通信制御部１０２を介してユーザ端末Ａに送信する（ＳＴ３４）。端末機能情報を送信している間、ユーザ端末Ｂのディスプレイ１０９上には、図１３に示す画面が表示される。
【００５５】
次いで、ユーザ端末Ａは、ユーザ端末Ｂからの端末機能情報を通信制御部１０２を介して受信すると（ＳＴ３５）、制御部１０３が、ユーザ端末Ｂの端末機能情報をメモリ１０５に更新することを確認する画面をディスプレイ１０９に表示させるように表示制御部１０８に指示する。表示制御部１０８は、その指示にしたがってディスプレイ１０９上に図１１（ａ）に示すような確認画面を表示させる。そして、「はい」を選択すると、制御部１０３の指示により更新部１０４が受信したユーザ端末Ｂの端末機能情報をメモリ１０５に更新する（ＳＴ３６）。このとき、ディスプレイ１０９上には、図１１（ｂ）に示す画面が表示される。さらに、制御部１０３が、ユーザ端末Ｂの端末機能情報をディスプレイ１０９に表示させるように表示制御部１０８に指示する。表示制御部１０８は、その指示にしたがってディスプレイ１０９上に図８に示すような端末機能リストを表示させる（ＳＴ３７）。これにより、ユーザ端末Ａのユーザ（どこでも太郎）は、ユーザ端末Ｂがテレビ電話とデコメールが使用可能で、ＰｏＣが使用不可能である（グレイアウト）ことを一目で確認することができる。
【００５６】
図１４は、本発明の実施の形態に係る機能情報通知方法の第４の態様を示すシーケンス図である。第４の態様においては、通話が完了した後に、他方の移動体端末が端末機能情報を移動通信網センターに送信し、移動通信網センターにおいて端末機能情報をデータベースに更新する。一方の移動体端末は、移動通信網センターのデータベースの所望のユーザの端末機能情報を参照し、一方の移動体端末のディスプレイ上に一方の移動体端末の端末機能が表示される。このとき、他方の移動体端末においては、通話完了後に端末機能情報を移動通信網センターに自動的に送信する。この場合、あらかじめ他方の移動体端末（ユーザ端末Ｂ）において、通話完了後に自装置の端末機能情報を移動通信網センターに自動的に送信するモードに設定しておく。具体的には、ユーザがモード設定をＯＮにすると、制御部１０３がモード設定部１０６に端末機能情報の自動送信モードに設定するように指示し、モード設定部１０６はその指示にしたがって自動送信モードに切り替える。なお、ここでは、通話完了後に自動的に端末機能情報を移動通信網センター３に送信する場合について説明しているが、第２の態様のように、移動通信網センター３に端末機能情報を送信する前に確認画面を表示させて、ユーザに確認させるようにしても良い。
【００５７】
まず、ユーザ端末Ｂが他のユーザ端末と通話をしており（ＳＴ４１）、通話が完了すると（ＳＴ４２）、制御部１０３は、自動的に制御部１０３の指示によりメモリ１０５から端末機能情報を抽出して通信制御部１０２を介して移動通信網センター３に送信する（ＳＴ４３）。端末機能情報を送信している間、ユーザ端末Ｂのディスプレイ１０９上には、図１３に示す画面が表示される。そして、移動通信網センター３においては、更新部３０３により、データベース３０４の図４に示すデータファイルにユーザ端末Ｂの端末機能情報が更新される（ＳＴ４４）。このように、端末機能情報を移動通信網センター３に格納しておくことにより、ユーザ端末は、必要なときに移動通信網センター３と通信を行っていつでも端末機能情報を取得することができる。
【００５８】
ユーザ端末Ａは、任意のタイミングで移動通信網センター３と通信を行ってユーザ端末Ｂの端末機能情報を取得する。まず、ユーザ端末Ａにおいて、アドレス帳でユーザ端末Ｂのアドレスを探すと、表示制御部１０８によりディスプレイ１０９上に図６（ａ）に示すような画面が表示される。そして、端末情報の部分を選択すると、制御部１０３が、移動通信網センター３のユーザ端末Ｂの端末機能情報を参照することを確認する画面をディスプレイ１０９に表示させるように表示制御部１０８に指示する。表示制御部１０８は、その指示にしたがってディスプレイ１０９上に図１５に示すような確認画面を表示させる。そして、「はい」を選択すると、制御部１０３の指示により、通信制御部１０２を介して移動通信センター３の通信部３０１と通信を行い、ユーザ端末Ａが移動通信網センター３のデータベース３０４を参照する（ＳＴ４５）。さらに、制御部１０３が、ユーザ端末Ｂの端末機能情報をディスプレイ１０９に表示させるように表示制御部１０８に指示する。表示制御部１０８は、その指示にしたがってディスプレイ１０９上に図８に示すような端末機能リストを表示させる（ＳＴ４６）。これにより、ユーザ端末Ａのユーザ（どこでも太郎）は、ユーザ端末Ｂがテレビ電話とデコメールが使用可能で、ＰｏＣが使用不可能である（グレイアウト）ことを一目で確認することができる。
【００５９】
図１６は、本発明の実施の形態に係る機能情報通知方法の第５の態様を示すシーケンス図である。第５の態様においては、通話が完了した後に、他方の移動体端末が端末機能情報を移動通信網センターに送信し、移動通信網センターにおいて端末機能情報をデータベースに更新する。一方の移動体端末は、移動通信網センターと端末機能情報を同期し、一方の移動体端末のディスプレイ上に移動体端末の端末機能が表示される。このとき、他方の移動体端末においては、通話完了後に端末機能情報を移動通信網センターに自動的に送信する。この場合、あらかじめ他方の移動体端末（ユーザ端末Ｂ）において、通話完了後に自装置の端末機能情報を移動通信網センターに自動的に送信するモードに設定しておく。具体的には、ユーザがモード設定をＯＮにすると、制御部１０３がモード設定部１０６に端末機能情報の自動送信モードに設定するように指示し、モード設定部１０６はその指示にしたがって自動送信モードに切り替える。なお、ここでは、通話完了後に自動的に端末機能情報を移動通信網センター３に送信する場合について説明しているが、第２の態様のように、移動通信網センター３に端末機能情報を送信する前に確認画面を表示させて、ユーザに確認させるようにしても良い。
【００６０】
まず、ユーザ端末Ｂが他のユーザ端末と通話をしており（ＳＴ５１）、通話が完了すると（ＳＴ５２）、制御部１０３は、自動的に制御部１０３の指示によりメモリ１０５から端末機能情報を抽出して通信制御部１０２を介して移動通信網センター３に送信する（ＳＴ５３）。端末機能情報を送信している間、ユーザ端末Ｂのディスプレイ１０９上には、図１３に示す画面が表示される。そして、移動通信網センター３においては、更新部３０３により、データベース３０４の図４に示すデータファイルにユーザ端末Ｂの端末機能情報が更新される（ＳＴ５４）。このように、端末機能情報を移動通信網センター３に格納しておくことにより、ユーザ端末は、必要なときに移動通信網センター３と通信を行っていつでも端末機能情報を取得することができる。
【００６１】
ユーザ端末Ａは、任意のタイミングで移動通信網センター３と通信を行ってユーザ端末Ｂの端末機能情報を取得する。まず、ユーザ端末Ａにおいて、データベース同期を行うタイミングで、データベース同期を行うことを確認する画面をディスプレイ１０９に表示させるように表示制御部１０８に指示する。表示制御部１０８は、その指示にしたがってディスプレイ１０９上に図１７（ａ）に示すような確認画面を表示させる（ＳＴ５５）。そして、「はい」を選択すると、制御部１０３の指示により、アプリ制御部１０７がデータベース同期のアプリケーションを起動する。このとき、ユーザ端末Ａは、通信制御部１０２を介して移動通信センター３の通信部３０１と通信を行う。そして、移動通信網センター３のアプリ制御部３０６もデータベース同期のアプリケーションを起動する。これにより、ユーザ端末Ａと移動通信網センター３との間でデータベース同期処理が行われ、データ（端末機能情報）の更新が行われる（ＳＴ５６）。そのとき、ディスプレイ１０９上には、図１７（ｂ）に示すような画面が表示される。このように、データベース同期を行うことにより、ユーザ端末において、端末機能情報を一括して取得して更新することができる。
【００６２】
また、ユーザがアドレス帳を参照すると、制御部１０３が、ユーザ端末Ｂの端末機能情報をディスプレイ１０９に表示させるように表示制御部１０８に指示する。表示制御部１０８は、その指示にしたがってディスプレイ１０９上に図８に示すような端末機能リストを表示させる。これにより、ユーザ端末Ａのユーザ（どこでも太郎）は、ユーザ端末Ｂがテレビ電話とデコメールが使用可能で、ＰｏＣが使用不可能である（グレイアウト）ことを一目で確認することができる。
【００６３】
なお、上記第１から第５の態様については、適宜組み合わせて実施することが可能である。
【００６４】
本発明は上記実施の形態に限定されず、種々変更して実施することが可能である。例えば、上記実施の形態におけるディスプレイ上の表示の文言やレイアウトは一例であり、適宜変更して実施することができる。例えば、上記実施の形態においては、ユーザ端末で使用不可能な機能をディスプレイ上でグレイアウトにすることで、ユーザ端末で使用可能な端末機能と使用不可能な端末機能とを区別して表示しているが、本発明においては、使用可能な端末機能と使用不可能な端末機能とを区別して表示できれば、表示形態に制限はない。また、上記実施の形態においては、ユーザ端末において、通信相手を検索し、その通信相手のユーザ端末について使用可能な端末機能をリスト表示して把握する場合について説明しているが、本発明においては、利用した端末機能を選択し、その選択された端末機能に対応しているユーザ端末をアドレス帳から抽出してそのユーザをリスト表示するようにしても良い。また、各態様における手順についても、当業者がなし得る範囲において適宜変更して行うことができる。その他、本発明の範囲を逸脱しない限りにおいて適宜変更して実施することが可能である。
【図面の簡単な説明】
【００６５】
【図１】本発明の実施の形態に係る機能情報通知システムの概略構成を示す図である。
【図２】本発明の実施の形態に係る機能情報通知システムに使用する移動体端末１を示す概略ブロック図である。
【図３】本発明の実施の形態に係る機能情報通知システムに使用する移動通信網センター３を示す概略ブロック図である。
【図４】本発明の実施の形態に係る機能情報通知システムの移動通信網センターが有するデータファイルを示す図である。
【図５】本発明の実施の形態に係る機能情報通知方法の第１の態様を示すシーケンス図である。
【図６】（ａ），（ｂ）は、本発明の実施の形態に係る機能情報通知方法における移動体端末のディスプレイ上の表示例を示す図である。
【図７】（ａ），（ｂ）は、本発明の実施の形態に係る機能情報通知方法における移動体端末のディスプレイ上の表示例を示す図である。
【図８】本発明の実施の形態に係る機能情報通知方法における移動体端末のディスプレイ上の表示例を示す図である。
【図９】本発明の実施の形態に係る機能情報通知方法の第２の態様を示すシーケンス図である。
【図１０】本発明の実施の形態に係る機能情報通知方法における移動体端末のディスプレイ上の表示例を示す図である。
【図１１】（ａ），（ｂ）は、本発明の実施の形態に係る機能情報通知方法における移動体端末のディスプレイ上の表示例を示す図である。
【図１２】本発明の実施の形態に係る機能情報通知方法の第３の態様を示すシーケンス図である。
【図１３】本発明の実施の形態に係る機能情報通知方法における移動体端末のディスプレイ上の表示例を示す図である。
【図１４】本発明の実施の形態に係る機能情報通知方法の第４の態様を示すシーケンス図である。
【図１５】本発明の実施の形態に係る機能情報通知方法における移動体端末のディスプレイ上の表示例を示す図である。
【図１６】本発明の実施の形態に係る機能情報通知方法の第５の態様を示すシーケンス図である。
【図１７】（ａ），（ｂ）は、本発明の実施の形態に係る機能情報通知方法における移動体端末のディスプレイ上の表示例を示す図である。
【符号の説明】
【００６６】
１  移動体端末
２  コアネットワーク
３  移動通信網センター
１０１  アンテナ
１０２  通信制御部
１０３，３０２  制御部
１０４，３０３  更新部
１０５  メモリ
１０６  モード設定部
１０７，３０６  アプリ制御部
１０８  表示制御部
１０９  ディスプレイ
３０１  通信部
３０４  データベース
３０５  抽出部
【図１】
2007150651.tif 000003
【図２】
2007150651.tif 000004
【図３】
2007150651.tif 000005
【図４】
2007150651.tif 000006
【図５】
2007150651.tif 000007
【図６】
2007150651.tif 000008
【図７】
2007150651.tif 000009
【図８】
2007150651.tif 000010
【図９】
2007150651.tif 000011
【図１０】
2007150651.tif 000012
【図１１】
2007150651.tif 000013
【図１２】
2007150651.tif 000014
【図１３】
2007150651.tif 000015
【図１４】
2007150651.tif 000016
【図１５】
2007150651.tif 000017
【図１６】
2007150651.tif 000018
【図１７】
2007150651.tif 000019